(57)【特許請求の範囲】
【請求項１】
左右方向及び前後方向に間隔をおいて配置された鋼製の柱材と、左右方向に隣り合う柱材間に間隔をおいて連結された複数の横スクリーン材と、前後方向に隣り合う柱材に連結された繋ぎ材とを備えた鋼製枠を有し、前記鋼製枠内に中詰め材が充填されている中詰め構造物の補修構造であって、
前記中詰め構造物における横スクリーン材配置面側について、
左右方向に間隔をおいて隣り合う各柱材に、一端側に挟持手段を備えていると共に他端側に保護体取付部を備えた保護体取付金具がそれぞれ対向するように配置されて、前記挟持手段により柱材を挟持するように前記保護体取付金具がそれぞれ柱材に取り付けられ、
左右方向に対向するように隣り合う各保護体取付金具の保護体取付部に亘って、前記横スクリーン材より前面側に補修用の保護体が配置され、各保護体取付金具の前記保護体取付部に前記保護体が取り付けられていることを特徴とする中詰め構造物の補修構造。
【請求項２】
左右方向及び前後方向に間隔をおいて配置された鋼製の柱材と、左右方向に隣り合う柱材間に間隔をおいて連結された水平材と、間隔をおいて隣り合う水平材間に間隔をおいて連結された複数の縦スクリーン材と、前後方向に隣り合う柱材に連結された繋ぎ材とを備えた鋼製枠を有し、前記鋼製枠内に中詰め材が充填されている中詰め構造物であって、
前記中詰め構造物における縦スクリーン材配置面側について、
間隔をおいて隣り合う各水平材に、一端側に挟持手段を備えていると共に他端側に保護体取付部を備えた保護体取付金具がそれぞれ対向するように配置されて、前記挟持手段により水平材を挟持するように前記保護体取付金具がそれぞれ水平材に取り付けられ、
対向するように隣り合う各取付金具の保護体取付部に亘って、前記縦スクリーン材の前面側を覆うように補修用の保護体が配置され、各保護体取付金具の前記保護体取付部に前記保護体が取り付けられていることを特徴とする中詰め構造物の補修構造。
【請求項３】
前記保護体取付金具は、横スクリーン材に載置されていることを特徴とする請求項１に記載の中詰め構造物の補修構造。
【請求項４】
保護体が複数設けられ、直列に隣り合う保護体相互は連結されて一体化されていることを特徴とする請求項１〜３のいずれか１項に記載の中詰め構造物の補修構造。
【請求項５】
隣り合う一方の保護体の一端部の裏面に連結板の一端側が固定され、隣り合う他方の保護体の一端部の裏面が前記連結板に重合されて、前記連結板と他方の保護体の一端部とが連結されていることを特徴とする請求項４に記載の中詰め構造物の補修構造。
【請求項６】
保護体は、保護板からなる保護体であることを特徴とする請求項１〜５のいずれか１項に記載の中詰め構造物の補修構造。
【請求項７】
請求項１〜６のいずれか１項に記載の中詰め構造物の補修構造に用いられる保護体取付金具であって、前記保護体取付金具は、金具本体の一端側に押圧用ボルトを備えた挟持用クランプからなる挟持手段を備えていると共に、金具本体の他端側に取付用ボルト及び前記取付用ボルトを連結するための連結用雌ねじ部とを有する保護体取付部を備えていることを特徴とする保護体取付金具。
【発明の詳細な説明】
【技術分野】
【０００１】
本発明は、山間部等に構築される鋼製枠を備えた中詰め構造物を補修する場合に有利な中詰め構造物の補修構造及びそれに用いる保護体取付金具に関する。
【背景技術】
【０００２】
従来、土留め、擁壁、砂防ダム及び堰堤等の土木構造物の施工方法として、例えば、図２０〜図２２に示すように、四隅の柱材１と左右方向に間隔をおいた柱材１を連結する水平材３と前後方向に間隔をおいた柱材１を連結する前後方向の繋ぎ材３３等の鋼材で囲まれた鋼枠を備えていると共に、鋼枠を左右方向及び前後方向並びに上下方向に必要数連設又は積み重ね、前記鋼枠における左右方向に間隔をおいた柱材１の前面側フランジ２の背面間に渡って水平方向に、横スクリーン材４を配置し、水平材３の両端部を柱材１にボルト・ナットによるピン結合により架設すると共に、横スクリーン材４の両端部を各前面側フランジ２にボルト・ナット１９によるピン結合により架設して、スクリーン材付の鋼製枠を構成し、そのスクリーン材付の鋼製枠内に、石、礫又は土砂等の中詰め材を充填して中詰め構造物２２を構築する工法が知られている（例えば、特許文献１参照）。
【０００３】
また、例えば、図２３〜図２７に示すように、鋼材で囲まれた鋼枠を備えていると共に、前記鋼枠における左右方向に間隔をおいた柱材１に架設された上下の水平材３に固定された取付片２６ａ、２６ｂの背面間に渡って縦スクリーン材６を配置し、縦スクリーン材６の両端部を各取付片２６ａ、２６ｂにボルト・ナット１９によるピン結合により架設して、スクリーン材付の鋼製枠を構成し、そのスクリーン材付の鋼製枠内に、石、礫又は土砂等の中詰め材を充填して中詰め構造物２２を構築する工法も知られている（例えば、特許文献２参照）。
【０００４】
このような河川に設置する土木構造物は、大量の降雨などで砂や石などが堰堤を越流し、内部の礫等の中詰め材を収容している外表面側の水平方向の横スクリーン材４が破損したり、或いは縦方向等の縦スクリーン材６が破損したり、腐食して損傷することがある。前記の横スクリーン材４、縦スクリーン材６が破損或いは損傷した場合、中詰めされた状態のスクリーン材付の鋼製枠を備えた中詰め構造物２２を現場で補修する必要がある。
【０００５】
また、図示を省略するが、内部に礫を充填して用いる前記のような石詰め構造物２２ではないが、河川で土石流などを補足するために設置される透過型鋼製ダムで、横ビームを交換可能にした横ビーム式オープンダムも知られている（例えば特許文献３参照）。前記横ビーム式オープンダムの場合では、土石流などにより破損した箇所の横ビームを、新たな横ビームに交換することで、透過型鋼製ダムの補修が可能であるが、鋼枠内部に中詰めされている中詰め式鋼製枠の補修には適用することができない。その理由は、中詰め式鋼製枠ではその内部に、石、礫又は土砂等の中詰め材が充填されている状態であるので、横スクリーン材又は縦スクリーン材を取り外すと、内部の中詰め材が落下するため、横スクリーン材又は縦スクリーン材を取り外すことができないためである。
【０００６】
また、図示を省略するが、中詰め構造物において、横スクリーン材又は縦スクリーン材を取り外したり、鋼製枠におけるフレームに多数の孔を現場施工により穿孔して、弾性体の保護板をボルトにより取り付ける技術も知られている（例えば、特許文献４参照）。
【先行技術文献】
【特許文献】
【０００７】
【特許文献１】特開平１０−１６８８８６号公報
【特許文献２】特開平１０−１２１４４２号公報
【特許文献３】特開２００５−３３６８０２号公報
【特許文献４】特開２０１１−２４７０７９号公報
【発明の概要】
【発明が解決しようとする課題】
【０００８】
前記のように、鋼製枠におけるフレームに多数の孔を現場施工により穿孔する場合には、フレームの断面欠損を生じるようになり、鋼製枠におけるフレームの剛性が低下する恐れがあると共に、山間地における現場作業が煩雑であり、工期が長くかかると共に施工コストが高くなるという問題がある。特に鋼製枠のような高さが高い構造物を補修する場合、補修箇所に応じて足場を設けての作業になるので、現場施工による穿孔や切断、溶接などの煩雑な作業は困難である。したがって、鋼製枠における横スクリーン材４或いは縦スクリーン材６が破損或いは腐食等により損傷した場合に、鋼製枠における前記横スクリーン材４或いは縦スクリーン材６と同様な強度を有してその前面側をカバーすると共に、鋼製枠フレームの剛性を低下させることなく、補修可能な中詰め構造物の補修構造が望まれる。
【０００９】
そこで、本発明は前記の課題を解消することができる中詰め構造物の補修構造及びそれに用いる保護体取付金具を提供することを目的とする。
【課題を解決するための手段】
【００１０】
前記の課題を有利に解決するために、第１発明の中詰め構造物の補修構造では、左右方向及び前後方向に間隔をおいて配置された鋼製の柱材と、左右方向に隣り合う柱材間に間隔をおいて連結された複数の横スクリーン材と、前後方向に隣り合う柱材に連結された繋ぎ材とを備えた鋼製枠を有し、前記鋼製枠内に中詰め材が充填されている中詰め構造物の補修構造であって、前記中詰め構造物における横スクリーン材配置面側について、左右方向に間隔をおいて隣り合う各柱材に、一端側に挟持手段を備えていると共に他端側に保護体取付部を備えた保護体取付金具がそれぞれ対向するように配置されて、前記挟持手段により柱材を挟持するように前記保護体取付金具がそれぞれ柱材に取り付けられ、左右方向に対向するように隣り合う各保護体取付金具の保護体取付部に亘って、前記横スクリーン材より前面側に補修用の保護体が配置され、各保護体取付金具の前記保護体取付部に前記保護体が取り付けられていることを特徴とする。
【００１１】
また、第２発明の中詰め構造物の補修構造では、左右方向及び前後方向に間隔をおいて配置された鋼製の柱材と、左右方向に隣り合う柱材間に間隔をおいて連結された水平材と、間隔をおいて隣り合う水平材間に間隔をおいて連結された複数の縦スクリーン材と、前後方向に隣り合う柱材に連結された繋ぎ材とを備えた鋼製枠を有し、前記鋼製枠内に中詰め材が充填されている中詰め構造物であって、前記中詰め構造物における縦スクリーン材配置面側について、間隔をおいて隣り合う各水平材に、一端側に挟持手段を備えていると共に他端側に保護体取付部を備えた保護体取付金具がそれぞれ対向するように配置されて、前記挟持手段により水平材を挟持するように前記保護体取付金具がそれぞれ水平材に取り付けられ、対向するように隣り合う各取付金具の保護体取付部に亘って、前記縦スクリーン材の前面側を覆うように補修用の保護体が配置され、各保護体取付金具の前記保護体取付部に前記保護体が取り付けられていることを特徴とする。
【００１２】
第３発明では、第１発明の中詰め構造物の補修構造において、前記保護体取付金具は、横スクリーン材に載置されていることを特徴とする。
【００１３】
第４発明では、第１発明〜第３発明のいずれか１項に記載の中詰め構造物の補修構造において、保護体が複数設けられ、直列に隣り合う保護体相互は連結されて一体化されていることを特徴とする。
【００１４】
第５発明では、第４発明の中詰め構造物の補修構造において、隣り合う一方の保護体の一端側の裏面に連結板の一端側が固定され、隣り合う他方の保護体の一端部の裏面が前記連結板に重合されて、前記連結板と他方の保護体の一端部とが連結されていることを特徴とする。
第６発明の中詰め構造物の補修構造においては、保護体は、保護板からなる保護体であることを特徴とする。
【００１５】
第７発明の保護体取付金具では、第１発明〜第６発明のいずれか一つの中詰め構造物の補修構造に用いられる保護体取付金具であって、前記保護体取付金具は、金具本体の一端側に押圧用ボルトを備えた挟持用クランプからなる挟持手段を備えていると共に、金具本体の他端側に取付用ボルト及び前記取付用ボルトを連結するための連結用雌ねじ部とを有する保護体取付部を備えていることを特徴とする。
【発明の効果】
【００１６】
第１発明又は第２発明によると、中詰め構造物における鋼製枠に新たにボルト孔等の断面欠損を生じるような加工をすることなく、一端側に挟持手段を備えていると共に他端側に保護体取付部を備えた保護体取付金具がそれぞれ対向するように配置されて柱材又は水平材を挟持するように取り付けることができ、また、保護体を前記保護体取付金具における保護体取付部に取り付ける、簡単な構造の補修構造とすることができる。
【００１７】
また、第３発明のように、保護体取付金具が、横スクリーン材に載置されていると、保護体取付金具を安定させた状態で取り付けることができる。
【００１８】
第４発明のように、直列に隣り合う保護体相互は連結されて一体化されていると、保護体に衝撃荷重が作用した場合でも、隣接の保護体に分散して伝達することができ、衝撃荷重を緩和できる等の効果がある。また、一つの保護体の取り付け部が損傷しても、他の保護体により保持することができる等の効果がある。
【００１９】
第５発明のように、隣り合う一方の保護体の一端側の裏面に連結板の一端側が固定され、隣り合う他方の保護体の一端部の裏面が前記連結板に重合されて、前記連結板と他方の保護体の一端部とが連結されていると、簡単な構造で、隣り合う保護体相互を連結して一体化することができる地凹部の効果がある。
第６発明によると、保護体は、保護板からなる保護体であるので、鋼板を用いて面状に広範囲の保護が可能な保護体を形成することができる等の効果が得られる。
【００２０】
第７発明の保護体取付金具のように、金具本体の一端側に押圧用ボルトを備えた挟持用クランプからなる挟持手段を備えていると共に、金具本体の他端側に取付用ボルト及び前記取付用ボルトを連結するための連結用雌ねじ部とを有する保護体取付部を備えていると、簡単で強固な保護体取付金具とすることができる等の効果が得られる。
【図面の簡単な説明】
【００２１】
【図１】保護体を取り付けた状態を示す一部切り欠き正面図である。
【図２】保護体取付金具及び上下の保護体相互の連結部を示す一部切り欠き正面図である。
【図３】図２の横断平面図であり、柱材のフランジを挟持するように取り付けられた保護体取付金具及び保護体取付金具に取り付けられた保護体付近を示す一部切り欠き平面図である。
【図４】図５の一部を拡大した図であり、水平方向の横スクリーンに載置されると共に柱材のフランジを挟持するように取り付けられた保護体取付金具を示す縦断正面図である。
【図５】図７の左側の傾斜した部分の保護体付近を拡大して示す断面図である。
【図６】図７の左側の傾斜した部分の保護体連結部付近を拡大して示す一部切り欠き縦断側面図である。
【図７】（ａ）は図１５に示す中詰め構造物における傾斜した柱材間に保護体を所定の高さレベルまで設置した状態を示す概略縦断正面、（ｂ）は（ａ）の概略側面図である。
【図８】図１７に示す状態から保護体取付金具を横スクリーン材に載置すると共に柱材における前面側フランジに取り付けた状態を示す一部切り欠き縦断側面図である。
【図９】図１７に示す状態から保護体取付金具を横スクリーン材に載置すると共に柱材における前面側フランジに取り付けた状態を示す正面図である。
【図１０】図９の横断平面図であり、図１８に示す状態から柱材における前面側フランジに保護体取付金具を取り付けた状態を示す横断平面図である。
【図１１】左右方向の右側に配置されて保護体の右側端部を取り付ける保護体取付金具を示すものであって、（ａ）は斜視図、（ｂ）は正面図、（ｃ）は左側面図、（ｄ）は右側面図である。
【図１２】左右方向の左側に配置されて保護体の左側端部を取り付ける保護体取付金具を示すものであって、（ａ）は斜視図、（ｂ）は正面図、（ｃ）は右側面図、（ｄ）は左側面図である。
【図１３】（ａ）は下端部に配置される保護体の正面図、（ｂ）は（ａ）の矢視断面図、（ｃ）は中間部に配置される保護体の正面図、（ｄ）は（ｃ）の矢視断面図である。
【図１４】上端部に配置される保護体の正面図である。
【図１５】（ａ）は図１９に示す中詰め構造物としての袖部構造物の鋼製枠を示す概略正面図、（ｂ）は（ａ）の概略側面図である。
【図１６】図１５に示す片側の横スクリーン材及び前面側柱材付近を拡大して示す側面図である。
【図１７】図１６の一部を拡大して示す側面図である。
【図１８】図１６の一部を拡大して示す横断平面図である。
【図１９】横スクリーン材を備えた鋼製枠内に中詰め材を充填した中詰め構造物を山間部の河川における堰堤の下流側の両側部に袖部構造物として構築した状態を示す概略斜視図である。
【図２０】横スクリーン材を備えた鋼製枠内に中詰め材を充填した中詰め構造物を山間部の河川に構築した状態を示す概略正面図である。
【図２１】図２０に示す中詰め構造物の矢視概略断面図である。
【図２２】横スクリーン材を備えた他の形態の鋼製枠を示す斜視図である。
【図２３】（ａ）は縦スクリーン材を備えた砂防堰堤又は治山堰堤としての中詰め構造物を山間部の河川に構築した状態を示す概略正面図、（ｂ）は（ａ）の概略側面図である。
【図２４】図２３に示す中詰め構造物における鋼製枠の一部を示す斜視図である。
【図２５】図２４の一部を拡大して示す正面図である。
【図２６】図２５に示す鋼製枠における縦スクリーン材の上下部の取り付け部付近を示す縦断側面図である。
【図２７】図２５に示す鋼製枠における上下部の水平材における下部取付片と上部取付片付近を示す縦断側面図である。
【図２８】他の形態の保護体取付金具を示すものであって、（ａ）は背面及び側面付近から見た斜視図、（ｂ）は正面及び側面方向から見た斜視図である。
【図２９】図２５に示す状態から上部取付片及び下部取付片に保護体取付金具を取り付けた状態を示す一部の正面図である。
【図３０】保護体取付金具を下部取付片及び上部取付片とにそれぞれ取り付けた状態を示す部分正面図である。
【図３１】図３０に示す鋼製枠における矢視断面図である。
【図３２】図３０に示す鋼製枠における下部取付片及び上部取付片に保護体取付金具を取り付けた状態を示す縦断側面図である。
【図３３】（ａ）は側部に連結板を備えた保護体の正面図、（ｂ）は連結板付近の部分横断平面図である。
【図３４】図２９に示す状態から、保護体を設置した状態を示す一部の正面図である。
【図３５】図３４に示す断面図である。
【図３６】（ａ）は図２３に示す中詰め構造物に保護体を構築した状態を示す概略正面図、（ｂ）は（ａ）の概略側面図である。
【発明を実施するための形態】
【００２２】
次に、本発明を図示の実施形態に基づいて詳細に説明する。
【００２３】
先ず、図１１及び図１２を主に参照して、本発明の中詰め構造物の補修構造に用いられる保護体取付金具７について説明すると、保護体取付金具７は、左右方向の隣り合う各柱材１（図９、図１９参照）に配置されたり、垂直面上に沿って又は傾斜面上に沿って上下（又は上下段）の隣り合う水平材３（図７参照）に設置される金具であり、左右の柱材１又は上下の水平材３に対称に配置されるため、左右又は上下に配置される金具は対称な構造に作製される保護体取付金具７とされている。保護体取付金具７は、例えば鋼板等の鋼製材料により製作される。
【００２４】
図１１に示す形態は、左右方向に隣り合う右側の柱材に配置されて、金具における左右方向の左側の部分に保護体を取りつけるための保護体取付部８を備えている。また、図１２に示す形態では、左右方向に隣り合う左側の柱材に配置されて、右側の部分に保護体を取りつけるための保護体取付部８を備えている。図１１及び図１２に示す形態は、いずれも基本構造は同様であるので、これらをまとめて説明する。
【００２５】
上下方向に配置された縦鋼板からなる金具本体９の一端側（一側面）に、前面側挟持板１０が傾斜した状態又は鉛直状態で前記金具本体９に垂直に配置されて、前記前面側挟持板１０の基端側が前記金具本体９に溶接により固定されている。前面側挟持板１０に間隔をおいて平行に反力受板１１が配置されていると共に、前記反力受板１１の基端側が前記金具本体９に溶接により固定されている。前記反力受板１１には、これに直角にボルト挿通孔１２を備えていると共に前記ボルト挿通孔１２と同心状に雌ねじ部材１３が配置されて溶接により固着され、前記雌ねじ部材１３には、押圧用ボルト１４の先端部が前記前面側挟持板１０に向って進退移動可能に装着されている。
【００２６】
前記金具本体９の他端側（他側部）には、前記前面側挟持板１０の前面側と同面状に配置された支持板１５の基端部が前記金具本体９に溶接により固定されている。前記支持板１５には、これに直角にボルト挿通孔１６を備えていると共に前記ボルト挿通孔１６と同心状に雌ねじ部材１７が配置されて溶接により固着されて、保護体取付部８が形成されている。
【００２７】
前記金具本体９と、前面側挟持板１０と、反力受板１１及びこれに設けられた雌ねじ部材１３及び押圧用ボルト１４とにより、挟持手段としての一形態を備えている。前記金具本体９と、前面側挟持板１０と、反力受板１１は予め一体に成形されていてもよく、前記の雌ねじ部材を省略して反力受板１１にタップを切るなどして直接設けるようにしてもよい。また、前記の前面側挟持板１０と支持板１５とは、一枚ものの鋼板としてその中間部を金具本体９の縦板に溶接により固定する形態としてもよい。また、前記金具本体９と、支持板１５及びこれに設けられた雌ねじ部材１７により、保護体２０を取り付けるための保護体取付部８の一形態を備えている。前記金具本体９と支持板１５とは予め一体に製作されたものでもよく、雌ねじ部材を省略して支持板１５にタップを切るなどして直接雌ねじ部を設けるようにしてもよい。
【００２８】
金具本体９に固定される前記支持板１５と前面側挟持板１０の前面側の位置は、横スクリーン材４を柱材１に固定するためのボルト１９の頭部が、柱材１における前面側フランジ２の前面に配置され、これらのボルト１９の頭部の高さ寸法よりも高くなる位置となるようにスペーサを兼ねて設けられている。前記のようにすることで、支持板１５に保護体２０を固定した場合に、保護体２０が横スクリーン材４を固定しているボルト１９と干渉しないようにされている。
【００２９】
また、前記金具本体９の下面側は、平坦な下面とされ、前記金具本体９の下面側を、例えば、損傷していない横スクリーン材４の上面に、面タッチで載置可能にされている。
【００３０】
次に、図２８を参照して前記の左右方向に隣り合う各柱材１に配置される保護体取付金具７に代わって、垂直面状に沿う上下方向、又は傾斜面状に沿う上下の水平材又は水平材に固定されて取付片に配置される保護体取付金具７の形態について説明する。この形態では、金具本体９の前端面に一枚の矩形状の鋼板の中間部が溶接により固定されて、前記矩形状の鋼板の一方の側により前面側挟持板１０が形成されていると共に、前記矩形状の鋼板の他方の側を支持板１５としてこれにボルト挿通孔１６が形成されていると共に鋼板の背面側において前記ボルト挿通孔１６と同心状に雌ねじ部材１７が溶接により固着されて保護体取付部８が形成され、前面側挟持板１０の背面側にこれ間隔をおいて平行に、反力受板１１が溶接により金具本体９に溶接により固定され、前記反力受板１１に設けられたボルト挿通孔に同心状に雌ねじ部材１３に装着された押圧用ボルト１４を備えた挟持用クランプ２１を備えている。このような形態の保護体取付金具７では、これを１８０°回転して配置すると、保護体の下部を取り付けるための下部側に配置される保護体取付金具７として利用することも可能になる。また、このような保護体取付金具７では、これを、９０°回転して横向きにし、横スクリーン材間において水平に配置する場合には、鉛直方向に保護体を配設する場合における保護体の端部又は側部を取り付ける場合に適用することも可能な保護体取付金具７とされている。
【００３１】
前記の図１１及び図１２に示す形態と、図２８に示す形態は、金具本体９の形状、金具本体９に対する支持板１５及び保護体取付部８の配置形態が異なるが、これらの部分を除けば、基本的な形態は同様である。なお、押圧用ボルト等は２つ以上の複数備えていてもよく、このような場合には、複数のボルト孔及び雌ねじ部材を間隔をおいて設けるようにすればよい。
【００３２】
次に、図１１及び図１２に示すような保護体取付金具７を、図１９〜図２２に示すような、横スクリーン材４を備えた形態の中詰め構造物２２に設置した場合の形態と、図２３〜図２７に示すような、縦スクリーン材６を備えた形態の中詰め構造物２２に設置した場合の形態とについて、それぞれ分けて説明する。
【００３３】
最初に、図１１及び図１２に示すような保護体取付金具７を、図１９に示すような砂防等のダム構造物４１の下流側の左右に構築される横スクリーン材４を備えた袖部の中詰め構造物２２、或いは図２０〜図２２に示すような横スクリーン材４を備えた中詰め構造物２２における柱材１の前面側フランジ２に設置して、前面側の横スクリーン材４の前面側を補修を兼ねて覆う場合について説明する。図示の形態では、中詰め構造物における横スクリーン材配置面側について、横スクリーン材４より前面側に補修用の保護体を配置する形態である。
【００３４】
前記の横スクリーン材４を備えた中詰め構造物２２は、前記従来の場合と同様な構造である。具体的には、左右方向及び前後方向に間隔をおいて四隅に配置された鋼製の柱材１と、左右方向に隣り合う柱材１間を連結する梁としての水平材３及び柱材１間に亘って配置されて連結された間隔をおいた複数の横スクリーン材４と、前後方向に隣り合うの柱材を連結する繋ぎ材３３とを備えた鋼製枠３２を有し、前記鋼製枠３２には、前後方向の側面の対角線上にブレース材３５が設けられて前面枠３６を左右方向に複数連設すると共に、前記前面枠３６を２以上の自然数のＸ段積み重ねて前面壁３７を構成している。また、前記前面壁３７の後部に、前記前面壁３７における鋼製枠の後部の２本の柱を利用する共にその後方に２本の柱材を配置し前後の柱材１を繋ぎ材３３で連結すると共に左右方向に間隔をおいて隣り合う後部の柱材１相互を水平材３及び横スクリーン材４により連結した控え枠３９を左右方向に複数連設すると共に、前記控え枠３９を自然数のＸ段又は（Ｘ−１）段積み重ねて後面壁３８を構成している。前記後面壁３８は、前記前面壁３７と同様な構造あるいは前記ブレース材３５を省略した構造である。中詰め構造物２２は、前記前面壁３７に連結された後面壁３８を備え、前記鋼製枠３２には、その前面側の柱材間及び／又は後面側の柱材間に横スクリーン材４が架設され、鋼製枠３２内に、石或いは礫等の塊状の充填材が中詰め材３４として充填されている。このような場合、横スクリーン材４に接触する部分の中詰め材３４は石又は礫等の塊状の充填材で、横スクリーン材４に点接触又は線接触しており、スクリーン材の長手方向に間隔をおいて空隙が形成されているので、本発明の保護体取付金具７は配置可能にされている（なお、後記の縦スクリーン材を備えた中詰め構造物２２の場合も、前記空隙が形成されている点は同様である。）。
【００３５】
このような場合には、図９及び図１０に示すように、左右方向に隣り合う各柱材１における前面側フランジ２相互の左右方向の対向する内側にそれぞれ保護体取付金具７を配置する。また、保護体取付金具７における前面側挟持板１０を、台形柱状或いは立方柱状の鋼製枠３２における前面側の柱材１の前面側フランジ２の前面に配置すると共に、金具本体９の下面側を下位の横スクリーン材４の上面に載置し、保護体取付部８が柱材１間の内側に張り出すように配置されている。また、前面側挟持板１０の裏面は、前面側フランジ２の前面に当接され、前面側フランジ２に間隔をおいてその背面側に配置された反力受板１１に固定の雌ねじ部材１３に装着された押圧用ボルト１４の先端部は、回動工具を用いて押圧用ボルト１４が回転されることで、後退移動した状態から前進移動されて前面側フランジ２の背面に押圧されて、前面側フランジ２を挟持した状態で前記保護体取付金具７が前面側フランジ２に取り付けられている。
【００３６】
保護体取付金具７における前面側挟持板１０が、前面側フランジ２の前面に配置され、その前面側挟持板１０の前面側と同面状に保護体取付部８が配置されていることで、また、前面側挟持板１０の板厚寸法が、横スクリーン材４を前面側フランジ２に固定しているボルト頭部の高さ寸法よりも、高くされていることで、前記保護体取付部８の前面側に、前面側フランジ２の前面側部を覆うような広幅の保護体２０を設置しても、保護体２０と、前記のスクリーン材を固定しているボルト１９のボルト頭部とが干渉しないようにされている。
【００３７】
前記の保護体取付金具７は、例えば、保護体２０の４隅部を取り付ける場合には、図１〜図４に示すように、下位に位置する横スクリーン材４の左右両側部にそれぞれ載置されて、左右の前面側フランジ２に取り付けられると共に、前記横スクリーン材４よりも上位に位置する横スクリーン材４の左右両側にそれぞれ配置される。
【００３８】
次いで、図１〜図４に示すように、左右の保護体取付金具７及びこれに間隔をおいた上下の保護体取付金具７の計４つの各保護体取付金具７に取り付けるように、図１３に示すような矩形状の鋼板からなる保護体２０を順次、下側（又は上側）等から配置して、図１〜図４に示すように、保護体取付金具７における保護体取付部８に保護体２０を載置するようにして、保護体２０の周辺部のボルト挿通孔３０に取付ボルト３１を挿通して保護体２０を取り付ける。
【００３９】
図１３（ａ）（ｂ）に示す形態の保護体２０は下端部に配置される保護体２０であり、また同図（ｃ）（ｄ）に示す形態の保護体２０は中間部に配置される保護体の形態であり、これらの形態の保護体２０では、保護体２０の一端部（図示の場合には、上端部）の裏面に、鋼製帯状の連結板２３の幅方向の一端側が重合するように配置されて溶接により固定されており、前記連結板２３の他端側には、長手方向に間隔をおいて複数のボルト挿通孔２４を備えていると共に、各ボルト挿通孔２４と同心状に、前記連結板２３の裏面には、雌ねじ部材２８が溶接により固定されている。また、保護体２０の下端部には、左右方向に間隔をおいて、前記連結板２３における雌ねじ部材２８の設置ピッチと同じピッチで、ボルト挿通孔２５が形成されている。前記のような保護体２０が順次下側から設置され、下位に位置する保護体２０の上端に載置するように、上位に位置する保護体２０の下端部が下位の連結板２３に重合されてボルト２９により、上位に位置する保護体２０の下端部が、下位に位置する保護体２０における連結板２３に固定されて、下位に位置する保護体２０と上位に位置する保護体２０とは連結されている。
【００４０】
また、連結板２３を有する保護体２０に連結される最上位の保護体２０としては、図１４に示すように、保護体２０の下端部に、左右方向に間隔をおいて、前記連結板２３における雌ねじ部材２４の設置ピッチと同じピッチで、ボルト挿通孔２５が形成されている。また、上端部には、連結板を備えていない形態の保護体２０とされている。
【００４１】
前記のように、下位に位置する保護体２０と上位に位置する保護体２０が連結されていることで、直列に配置される保護体を一体化することができ、一部の保護体２０に作用する衝撃力等の荷重を他の保護体に伝達して荷重を分散させることができる。
【００４２】
前記のように、保護体２０を設けることで、横スクリーン材４の前面側を隠すように覆うことができ、横スクリーン材４が損傷している場合には、横スクリーン材４の前面側をカバーして、石或いは礫等の中詰め材が鋼製枠外に出るのを防止することができ、鋼製枠の美観も向上させることができる保護体を備えた中詰め構造物４０とすることができる。
【００４３】
図示の実施形態では、前面側柱材１が傾斜して配置されているが、前面側柱材１の配置角度に応じて、前面側挟持板１０と、反力受板１１と、保護体取付部８の傾斜角度を同じようにすればよく、前面側フランジ２が鉛直になる場合には、図２８に示すような保護体取付金具７を９０°回転させて用いることで対応することもできる。
【００４４】
次に、図２８に示す保護体取付金具７及び図３３に示すような保護体２０を用いて、図２３〜図２７に示すような縦スクリーン材６を備えた形態の中詰め構造物２２に、保護体２０を取り付けて保護体付中詰め構造物４０とする形態について、特に、図２９以降の図を参照して説明する。図示の形態では、中詰め構造物における縦スクリーン材配置面側について、縦スクリーン材６より前面側に補修用の保護体を配置する形態である。
【００４５】
前記縦スクリーン材６を備えた中詰め構造物２２は、左右方向の梁としての上下段の水平材３又は図示の実施形態のようにその取付片に亘って縦スクリーン材６が左右方向に間隔をおいて設けられている構造とされている以外は、前記の横スクリーン材４を備えた中詰め構造物２２の場合とほぼ同様な構造であるので、同様な部分には、同様な符号を付している。なお、本発明の横スクリーン材又は縦スクリーン材を備えた中詰め構造物２２には、水平材３及びスクリーン材４、６を柱材１又は水平材にピン結合しない場合も含まれる。
【００４６】
図２９に示すように、下段側の水平材３の上部に設けられている下部取付片２６ａ及びこれに間隔をおいて対向する上段側の水平材３の下部に取り付けられている上部取付片２６ｂに、縦スクリーン材６間又は柱材１と縦スクリーン材６間において、図２８に示すような保護体取付金具７を下部側及び上部側にそれぞれ配置すると共に、各保護体取付金具７における前面側挟持板１０を上部取付片２６ｂの前面側及び下部取付片２６ａの前面側にそれぞれ配置し、前記実施形態と同様に、回動工具を用いて押圧用ボルト１４を回転させて、反力受板１１側の押圧用ボルト１４の先端部を下部取付片２６ａの背面及び上部取付片２６ｂの背面に押圧するように前進移動させ、各保護体取付金具７を下部取付片２６ａと上部取付片２６ｂに固定する。
【００４７】
次いで、図３３に示すような保護体２０を、上下の各保護体取付金具７の支持板１５の前面側に配置して、図３４に示すように、ボルト３１により固定する。図３３に示す保護体２０は、左右方向の一端部（図示の形態では左側端部）の背面側に連結板２３の一端側が重合されて溶接により固定され、前記連結板２３には、上下方向に間隔をおいて所定のピッチでボルト挿通孔２４を備えていると共に、連結板２３の背面側には、前記ボルト挿通孔２４と同心状に雌ねじ部材２８が溶接により固定されている。このような連結板２３を備えた保護体２０に接続される保護体としては、一端側にボルト挿通孔を前記連結板に設けられたボルト挿通孔と同じピッチで同じレベルにボルト挿通孔を設けた保護体２０を図示のように配置して、連結板２３にボルト２９より固定することにより、左右方向に隣り合う保護体２０相互を連結一体化している。これにより、前記実施形態と同様に、縦スクリーン材６より前面側を隠すように覆うことができ、縦スクリーン材６が損傷している場合には、縦スクリーン材６の前面側をカバーして、石或いは礫等の中詰め材が鋼製枠外に出るのを防止することができ、鋼製枠の美観も向上させることができる保護体を備えた中詰め構造物４０とすることができる。
【００４８】
前記実施形態では、保護体として、透水孔を備えていない形態の保護体２０を示したが、本発明を実施する場合、図視を省略するが、実施形態の場合より、より透水性を確保する場合には、保護体２０に一つ又は間隔をおいて複数の透水孔を設けて、透水性を確保するようにしてもよい。このような場合の保護体２０としては、水平な横スクリーン材４の前面側に配置される保護体２０に設ける通水孔として、上下の横スクリーン材４の間に位置するように通水用の丸孔又は横方向のスリットを設けるようにすればよい。また、縦スクリーン材６の前面側に配置される保護体２０に設ける通水孔として、左右の縦スクリーン材６の間に位置するように通水用の丸孔又は縦方向のスリットを設けるようにすればよい。スリットの幅は設計により設定される。
なお、前記実施形態では、鋼板からなる板状体としての保護体２０について説明しているが、保護体２０としては、板状体に限らず山形鋼、平鋼、溝形鋼などの形綱を、破損した横スクリーン材４や縦スクリーン材６より前面側に配置して、前記形鋼の両端部を、それぞれ前記保護体取付金具７を介して各柱材１又は各水平材３に取り付けることで、前記破損した横スクリーン材４や縦スクリーン材６と同様に内部の中詰め材の落下を防止する機能を発揮させることができ、横スクリーン材４や縦スクリーン材６を新たに設置する代わりの補修構造とすることもできる。
【符号の説明】
【００４９】
１  柱材
２  前面側フランジ
３  水平材
４  横スクリーン材
６  縦スクリーン材
７  保護体取付金具
８  保護体取付部
９  金具本体
１０  前面側挟持板
１１  反力受板
１２  ボルト挿通孔（反力受板側）
１３  雌ねじ部材（反力受板側）
１４  押圧用ボルト
１５  支持板
１６  ボルト挿通孔（支持板の）
１７  雌ねじ部材（支持板の）
１９  ボルト（スクリーン材固定用の）
２０  保護体（保護板）
２１  挟持用クランプ
２２  中詰め構造物
２３  連結板
２４  ボルト挿通孔（連結板の）
２５  ボルト頭部（スクリーン材を固定するボルトの）
２６ａ  下部取付片
２６ｂ  上部取付片
２８  雌ねじ部材（連結板の）
２９  ボルト（連結板に連結するための）
３０  ボルト挿通孔（保護体の）
３１  取付ボルト
３２  鋼製枠
３３  繋ぎ材
３４  中詰め材
３５  ブレース材
３６  前面枠
３７  前面壁
３８  後面壁
３９  控え枠
４０  保護体を備えた中詰め構造物
４１  ダム構造物
【図１】
0005823318.tif 000002
【図２】
0005823318.tif 000003
【図３】
0005823318.tif 000004
【図４】
0005823318.tif 000005
【図５】
0005823318.tif 000006
【図６】
0005823318.tif 000007
【図７】
0005823318.tif 000008
【図８】
0005823318.tif 000009
【図９】
0005823318.tif 000010
【図１０】
0005823318.tif 000011
【図１１】
0005823318.tif 000012
【図１２】
0005823318.tif 000013
【図１３】
0005823318.tif 000014
【図１４】
0005823318.tif 000015
【図１５】
0005823318.tif 000016
【図１６】
0005823318.tif 000017
【図１７】
0005823318.tif 000018
【図１８】
0005823318.tif 000019
【図１９】
0005823318.tif 000020
【図２０】
0005823318.tif 000021
【図２１】
0005823318.tif 000022
【図２２】
0005823318.tif 000023
【図２３】
0005823318.tif 000024
【図２４】
0005823318.tif 000025
【図２５】
0005823318.tif 000026
【図２６】
0005823318.tif 000027
【図２７】
0005823318.tif 000028
【図２８】
0005823318.tif 000029
【図２９】
0005823318.tif 000030
【図３０】
0005823318.tif 000031
【図３１】
0005823318.tif 000032
【図３２】
0005823318.tif 000033
【図３３】
0005823318.tif 000034
【図３４】
0005823318.tif 000035
【図３５】
0005823318.tif 000036
【図３６】
0005823318.tif 000037